(57)【要約】      （修正有）【解決手段】ストーンパネル２０は、天然石のスライス片１１を面状に敷き詰め、このスライス片１１群の背後にスライス片１１を人体温度に近似する温度に保温する面ヒータ２４を敷き、スライス片１１群の片面を使用面にすることを特徴とする。【効果】モルタルに天然石を混ぜるのではなく、天然石のスライス片を面状に敷き詰めることにした。このようなスライス片群を暖めれば遠赤外線を効果的に放射する。マイナスイオンを放射する性質の天然石ではマイナスイオンを効果的に放射する。また、人体温度に近似した温度、すなわち３８℃程度でスライス片群を保温するため、低温やけどの心配はない。したがって、低温やけどの心配が無く且つ遠赤外線やマイナスイオンを十分に発生し得る技術を提供することができる。【選択図】図２
0003108434.tif 000002
【実用新案登録請求の範囲】
【請求項１】
天然石のスライス片を面状に敷き詰め、このスライス片群の背後に前記スライス片を人体温度に近似する温度に保温する面ヒータを敷き、前記スライス片群の片面を使用面にすることを特徴とするストーンパネル。
【請求項２】
前記面ヒータ及び前記スライス片群を木枠で囲んで運搬可能にしたことを特徴とする請求項１記載のストーンパネル。
【請求項３】
前記天然石は、炭素、アルミナ、シリカを主成分とするブラックシリカであることを特徴とする請求項１又は請求項２記載のストーンパネル。
【請求項４】
前記スライス片間の隙間を埋める目地材は、海藻などの自然物を原料とした天然素材糊に前記天然石の粉末を混合したものを使用することを特徴とする請求項１、請求項２又は請求項３記載のストーンパネル。
【考案の詳細な説明】
【技術分野】
【０００１】
本考案は、人体を接触させることを前提としたストーンパネルに関するものである。
【背景技術】
【０００２】
秋田県田沢湖町玉川温泉の岩盤浴は有名である。すなわち、温泉もしくは地熱で適度に加熱された天然岩盤に浴衣がけで寝ると、ラジウム線を浴びることができ、人体に好ましい効果が得られると言われているものである。
【０００３】
ただし、遠隔地から玉川温泉に出かけるには時間や費用の面で大変であるため、擬似的な岩盤浴装置が代替品として提案されている（例えば、特許文献１参照。）。
【特許文献１】特開２００４−１３００４７公報（請求項１、段落番号［０００５］）
【０００４】
特許文献１の請求項１に「気密性・断熱性の高い部屋（１）に、床暖房システム（２）を設置し、その上にトルマリン鉱石等を珪砂入りモルタル等で固めた平坦な岩盤等で構成されるベッド（７）及び椅子（８）。」の記載がある。
また、特許文献１の段落番号［０００５］第２２行に「・・・岩盤（３）の表面の温度を適度（４０〜４７度程度）に調整する。」の説明がある。
【０００５】
トルマリンから放射されるマイナスイオン、遠赤外線効果により、大量の発汗を促し、血液の循環を促し、血液の弱アルカリ化などを促す、と言われている。
しかし、本考案者が実証し、検証したところ次の欠点があることが判明した。
【０００６】
第１に、期待したマイナスイオンが得られなかった。しかし、トルマリン単体を調べたところ期待した量のマイナスイオン放出が認められた。結果的に、周囲のモルタルに吸収された疑いが強い。
【０００７】
第２に、サウナー効果を発揮させるために岩盤の表面温度を４０〜４７℃に調整するが、これでは岩盤に直接肌を触れると低温やけどをする虞がある。シーツやタオルを複数枚掛けるように配慮する必要があり、老人、子供が使うには無理がある。
【考案の開示】
【考案が解決しようとする課題】
【０００８】
本考案は、低温やけどの心配が無く且つマイナスイオンを十分に発生し得る技術を提供することを課題とする。
【課題を解決するための手段】
【０００９】
請求項１に係る考案は、天然石のスライス片を面状に敷き詰め、このスライス片群の背後にスライス片を人体温度に近似する温度に保温する面ヒータを敷き、スライス片群の片面を使用面にすることを特徴とする。
【００１０】
請求項２に係る考案は、面ヒータ及びスライス片群を木枠で囲んで運搬可能にしたことを特徴とする。
【００１１】
請求項３に係る考案では、天然石は、炭素、アルミナ、シリカを主成分とするブラックシリカであることを特徴とする。
【００１２】
請求項４に係る考案では、スライス片間の隙間を埋める目地材は、海藻などの自然物を原料とした天然素材糊に天然石の粉末を混合したものを使用することを特徴とする。
【考案の効果】
【００１３】
請求項１に係る考案では、モルタルに天然石を混ぜるのではなく、天然石のスライス片を面状に敷き詰めることにした。このようなスライス片群を暖めれば遠赤外線を効果的に放射する。マイナスイオンを放射する性質の天然石ではマイナスイオンを効果的に放射する。また、人体温度に近似した温度、すなわち３８℃程度でスライス片群を保温するため、低温やけどの心配はない。
したがって、請求項１によれば低温やけどの心配が無く且つ遠赤外線やマイナスイオンを十分に発生し得る技術を提供することができる。
【００１４】
請求項２に係る考案では、スライス片群を木枠で囲った。木枠はモルタルに比較して密度が小さくてマイナスイオンの吸収能は小さく、マイナスイオンが弱まる心配は少ない。結果として、マイナスイオンの放射を促すことができる。
また、木枠で囲うことで運搬可能にしたので家庭へも本考案のストーンパネルを搬入することができる。非使用時は片づけることもできる。
木の種類が檜であれば好ましい香りが発生し、利用者を癒す効果も期待できる。
【００１５】
請求項３に係る考案では、ブラックシリカを使用する。ブラックシリカも天然鉱石であって、トルマリンと同等のマイナスイオンを放射する。ブラックシリカは産地、産出量は限られているが、トルマリンよりは遙かに廉価である。
したがって、性能が良く、安価なストーンパネルを提供することができる。
【００１６】
請求項４に係る考案では、スライス片間を埋める目地を天然素材とした。仮にスライス片間をモルタルで埋めると、このモルタルがマイナスイオンを吸収する。
この点、天然素材糊に天然石の粉末を混合したものを使用すれば、天然素材糊はマイナスイオンを吸収する度合いが少なく、且つ天然石の粉末がマイナスイオンの発生源になる。
したがって、十分な量のマイナスイオンを発生させることができる。
【考案を実施するための最良の形態】
【００１７】
本考案を実施するための最良の形態を添付図に基づいて以下に説明する。なお、図面は符号の向きに見るものとする。
図１は本考案に係る天然石の加工要領図である。
（ａ）は天然石原石１０を示す。天然石としては、ブラックシリカ鉱石、ホワイトシリカ鉱石、トルマリン鉱石、ゲルマニウム鉱石、ラジウム鉱石、その他の岩石が採用できる。なかでも、ブラックシリカは、炭素、アルミナ、シリカを主成分とし、トルマリンと同等のマイナスイオンを放射する性質を有すると共に日本国内（北海道檜山郡上ノ国町が有名）で産出するために入手容易で、トルマリンよりは廉価であるから、本考案に好適である。
【００１８】
（ｂ）において、１０〜３０ｍｍ厚さのスライス片１１を得る。天然石の大きさが種々であるため、縦横寸法や輪郭は一定しない。
（ｃ）において、スライス片１１を面状に敷き詰め、スライス片１１同士間の隙間に目地材１２を充填する。
目地材１２は、海藻などの自然物を原料とした天然素材糊に天然石原石１０の粉末を混合したものを使用することが望ましい。
【００１９】
図２は本考案に係るストーンパネルの断面図であり、ストーンパネル２０は、木枠２１にベニヤ板などの木板２２を渡し、この木板２２を木製補強材２３で補強し、木板２２上に、天然石のスライス片１１を面状に敷き詰め、このスライス片１１群の背後（図では下方）にスライス片１１を人体温度に近似する温度（３８℃程度）に保温する面ヒータ２４を配置してなる。
【００２０】
面ヒータ２４は、ベニヤ板２５を用いて木枠２１に取り付けるとよい。必要なときに、ベニヤ板２５を木枠２１から外して面ヒータ２４を点検することができるからである。
面ヒータ２４は自己温度制御型ヒータが望ましい。自己温度制御型ヒータは、一定の温度に近づくと、ヒータエレメントの固有抵抗値が急増して電流を制限し、温度上昇を自動的に制御するものである。
【００２１】
面ヒータ２４は、ホットカーペットや電気毛布のように手元ダイヤルで温度調節できるようにしてもよいが、低温やけどを避けるために、ダイヤルの温度調整幅は３６℃〜４０℃のごとく狭くすることが望ましい。
【００２２】
面ヒータ２４に通電すると、スライス片１１が人体温度に近似する温度（３８℃程度）まで暖まり、その温度で保温する。すなわち、スライス片１１の上面から大気へ逃げる放熱量を補う熱を面ヒータ２４が供給することで、スライス片１１の上面を人体温度に近似する温度（３８℃程度）に保つ。
スライス片１１の上面はフラットであるため、利用者Ｍが横になることができる。
【００２３】
図３は本考案に係るストーンパネルの斜視図であり、ストーンパネル２０は、スライス片１１を面状に敷き詰め、木枠２１で囲って、運搬可能にした板状物である。
２６，２６は木枠２１に設けた手がかり用凹部、２７は通電用コードである。
ストーンパネル２０は、１ｍ×２ｍの矩形板を標準とする。一人の利用者が横臥することができる。しかし、多人数が一度に利用できるように大型にすることは差し支えない。また、人体の膝、肘、首または頭を載せることができるように小型にすることも差し支えない。
【００２４】
スライス片１１を構成するブラックシリカは、黒鉛を含むため全体的に黒色を呈し、光や熱をよく吸収する。そして、吸収した分だけ放射する。特に遠赤外線を良く放射する。加えてマイナスイオンを発生する性能を有する。
【００２５】
マイナスイオン発生物質として有名なトルマリンは、１ｃｍ３当たり２３００個のマイナスイオンを放射すると言われている。
本考案者が調査したところ、ブラックシリカは、１ｃｍ３当たり２４００個のマイナスイオンを放射した。
したがって、ブラックシリカはトルマリンと同等以上のマイナスイオンを発生する物質であると言える。
【００２６】
図４は本考案に係るマイナスイオンの放射説明図である。
（ａ）は比較例を示し、従来は鉱石１０１の小片をセメント１０２に練り込んでいた。すると、鉱石１０１からマイナスイオン線１０３が放射されても、大半がセメント１０２に吸収される。したがって、鉱石１０１の有効利用が図れない。
【００２７】
（ｂ）は実施例を示し、本考案ではスライス片１１を面状に敷き詰め、片面を放射面とした。そのため、十分な量のマイナスイオン線２８が得られる。
なお、スライス片１１を固定もしくは止めるために接着層２９が必要であり、スライス片１１同士の隙間を埋めるために目地材１２が必要となる。
【００２８】
接着層２９や目地材１２は薄くて少量であればセメント系材料を使用することができる。しかし、セメント系材料は比重が大きいためと思われるが、マイナスイオンを大量に吸収する。対策として、軽量な材料で接着層２９や目地材１２を構成する。そして、人工材料より天然材料の方がマイナスイオンの吸収能が小さいようである。そこで、具体的には接着剤２９や目地材１２は、海藻などの自然物を原料とした天然素材糊に天然石の粉末を混合したものを使用する。
【００２９】
図２に戻って、スライス片１１がブラックシリカなどのマイナスイオン放射物質であれば、利用者へマイナスイオンを盛んに放射する。面ヒータ２４で暖めることでこの放射作用が増加することが期待できる。
【００３０】
加えて、面ヒータ２４で暖めたスライス片１１から遠赤外線が盛んに放射され、この遠赤外線が利用者の体を温める作用を発揮する。
さらに、人体温度に近似した温度、すなわち３８℃程度でスライス片群を保温するため、低温やけどの心配はない。
【００３１】
尚、請求項１では、スライス片を構成する天然石の種類は、好ましくはブラックシリカであるが、格別に限定するものではない。また、木枠は無くともよく、可搬式パネル、固定式パネルの何れであってもよい。
【００３２】
固定式パネルであれば、住居の床、壁の一部または全部を構成させることができる。
住居の床であれば、床暖房として使用することができる。
【００３３】
請求項２では、スライス片を構成する天然石の種類は、好ましくはブラックシリカであるが、格別に限定するものではない。
請求項１〜３では、スライス片間の隙間を埋める目地材はセメント系材料であってもよい。
【産業上の利用可能性】
【００３４】
本考案は天然石のスライス片を要素としたストーンパネルに好適である。
【図面の簡単な説明】
【００３５】
【図１】本考案に係る天然石の加工要領図である。
【図２】本考案に係るストーンパネルの断面図である。
【図３】本考案に係るストーンパネルの斜視図である。
【図４】本考案に係るマイナスイオンの放射説明図である。
【符号の説明】
【００３６】
１０…天然石原石、１１…スライス片、１２…目地材、２０…ストーンパネル、２１…木枠、２４…面ヒータ、Ｍ…利用者。
【図１】
0003108434.tif 000003
【図２】
0003108434.tif 000004
【図３】
0003108434.tif 000005
【図４】
0003108434.tif 000006